(57)【特許請求の範囲】
【請求項１】
原稿を搬送する自動原稿送り装置と、この自動原稿送り装置により搬送された原稿の画像を被画像形成媒体に形成する画像形成装置と、１つのノンソートビンと複数のソートビンとからなり、上記画像形成装置から排出される被画像形成媒体を選択的にノンソートビンあるいは複数のソートビンに振分ける振分手段を有するソータ装置とからなる画像形成処理システムにおいて、
上記画像形成装置が、
上記自動原稿送り装置に原稿がセットされるとソートモード、グループモード、ステープルモード、ノンソートモードのいずれかが自動的に選択される機能と、
上記自動原稿送り装置に原稿をセットする前に操作可能なソートモードを選択するソートキーと、
上記自動原稿送り装置に原稿をセットする前、あるいは後にコピー枚数を設定する設定手段と、
この設定手段により設定されるコピー枚数が１の場合に、ソートモードを禁止しノンソートモードに設定するモード設定手段と、
を備えたことを特徴とする画像形成処理システム。
【請求項２】
上記自動原稿送り装置に原稿がセットされた際に自動的に選択されるモードをソートモード、グループモード、ステープルモード、ノンソートモードのいずれかに設定する初期設定手段をさらに有する請求項１記載の画像形成処理システム。
【発明の詳細な説明】
【０００１】
【産業上の利用分野】
この発明は、原稿を搬送する自動原稿送り装置と、この自動原稿送り装置により搬送された原稿の画像を被画像形成媒体に形成する画像形成装置と、１つのノンソートビンと複数のソートビンとからなり、上記画像形成装置から排出される被画像形成媒体を選択的にノンソートビンあるいは複数のソートビンに振分ける振分手段を有するソータ装置とからなる画像形成処理システムに関する。
【０００２】
【従来の技術】
従来、画像形成装置としての複写機等では、複数枚の原稿を受け入れて、１枚ずつ原稿台上に供給する自動原稿送り装置が用いられるとともに、コピー済の用紙をソートするソータ装置（ソータ）が用いられるようになっている。
【０００３】
このような複写機では、自動原稿送り装置に原稿がセットされた際に、ソータを用いるソートモードを選択する場合が多い。
しかし、一般に、現在の複写機では、初期モードとしては、ノンソートモードが選択された状態でコピーするようになっている。
【０００４】
このため、自動原稿送り装置に原稿がセットする際に、毎回、操作パネルによりソートモードを選択しなければならず、大変煩わしいものとなってしまっていた。
【０００５】
そこで、自動原稿送り装置に原稿がセットした際に、自動的にソートモードが選択されるものが使用者により要望されている。
しかし、このような装置では、自動原稿送り装置にセットされる原稿が１枚の場合あるいはソート数を越える部数のコピーが設定された場合であっても、ソートモードが選択されてしまうという欠点がある。原稿が１枚の場合には、ソートビンにコピー用紙が排紙されてしまうという欠点がある。また、もともとコピー枚数のセットがソートリミットを越えている前提でユーザが使用した場合であっても、ソータリミットのメッセージ表示が行われてしまうという欠点がある。
【０００６】
また、使用者により、自動原稿送り装置に原稿をセットする前に、ノンソートモードやステープルソートモードやグループモード等のソートモード以外のモードを操作パネルにより選択されている場合でも、自動原稿送り装置に原稿をセットした際に、自動的にソートモードに切換わってしまい、その選択したいモードを再設定しなければならないという欠点がある。
【０００７】
また、操作パネルにより設定されるコピー枚数が１枚の場合にも、自動原稿送り装置に原稿をセットした際に、自動的にソートモードに切換わってしまい、ソートビンにコピー用紙が排紙されてしまうという欠点がある。
【０００８】
すなわち、自動原稿送り装置に原稿をセットした際に、自動的にソートモードを選択してしまうと、原稿が１枚の場合、設定されるコピー枚数が１枚あるいはソートできる部数以上の場合、原稿のセットの前にノンソートモードやグループモードが設定される場合等の例外条件の場合に、操作性が悪くなるという問題が生じていた。
【０００９】
【発明が解決しようとする課題】
この発明は、上記したように、自動原稿送り装置に原稿をセットした際に、自動的にソートモードが選択でき、この選択の際の例外条件を適切に検知して排除するものが要望されているもので、自動原稿送り装置に原稿をセットした際に、自動的にソートモードが選択でき、この選択の際の例外条件を適切に検知して排除することができ、操作性が良い画像形成処理システムを提供することを目的とする。
【００１０】
【課題を解決するための手段】
この発明の画像形成処理システムは、原稿を搬送する自動原稿送り装置と、この自動原稿送り装置により搬送された原稿の画像を被画像形成媒体に形成する画像形成装置と、１つのノンソートビンと複数のソートビンとからなり、上記画像形成装置から排出される被画像形成媒体を選択的にノンソートビンあるいは複数のソートビンに振分ける振分手段を有するソータ装置とからなるものにおいて、上記画像形成装置が、上記自動原稿送り装置に原稿がセットされるとソートモード、グループモード、ステープルモード、ノンソートモードのいずれかが自動的に選択される機能と、上記自動原稿送り装置に原稿をセットする前に操作可能なソートモードを選択するソートキーと、上記自動原稿送り装置に原稿をセットする前、あるいは後にコピー枚数を設定する設定手段と、この設定手段により設定されるコピー枚数が１の場合に、ソートモードを禁止しノンソートモードに設定するモード設定手段とを備える。
【００１４】
【作用】
この発明は、上記のような構成において、原稿を搬送する自動原稿送り装置と、この自動原稿送り装置により搬送された原稿の画像を被画像形成媒体に形成する画像形成装置と、１つのノンソートビンと複数のソートビンとからなり、上記画像形成装置から排出される被画像形成媒体を選択的にノンソートビンあるいは複数のソートビンに振分ける振分手段を有するソータ装置とからなるものにおいて、上記画像形成装置が、上記自動原稿送り装置に原稿がセットされるとソートモード、グループモード、ステープルモード、ノンソートモードのいずれかが自動的に選択される機能と、上記自動原稿送り装置に原稿をセットする前に操作可能なソートモードを選択するソートキーと、上記自動原稿送り装置に原稿をセットする前、あるいは後にコピー枚数を設定する設定手段とを有し、この設定手段により設定されるコピー枚数が１の場合に、ソートモードを禁止しノンソートモードに設定するようにしたものである。
【００１５】
【実施例】
以下、この発明の一実施例について図面を参照して説明する。
図２はこの発明に係る画像形成装置としての複写機１の内部構成を示すもので、その本体１１内の略中央部には感光体ドラム１２が回転自在に設けられている。この感光体ドラム１２の周囲部にはその回転方向に沿って順次、帯電チャージャ１３、露光部１４、現像器１５、転写チャージャ１７、剥離チャージャ１８、クリーナ１９および除電器２０が配設されている。
【００１６】
また、上記本体１１内の上部には露光系２１が設けられている。この露光系  ２１は露光ランプ２２、第１から第３の反射ミラー２３、２４、２５、変倍用レンズブロック２６、第４から第６の反射ミラー２７、２８、２９によって構成されている。
【００１７】
また、上記本体１１の一側部には、給紙カセット３０と１０００枚以上の大容量給紙装置（ＬＣＦ）３１とが設けられている。
大容量給紙装置３１に最も使用頻度の高い用紙（例えばＡ４サイズ）Ｐをセットするようにすれば用紙切れの生じる回数を減らすことができる。
【００１８】
上記給紙カセット３０あるいは上記大容量給紙装置３１から給紙された用紙（被画像形成媒体）Ｐは上記本体１１内に設けられた用紙搬送路３２に沿って搬送されるようになっている。
【００１９】
前記用紙搬送路３２には用紙Ｐの搬送方向に沿って順次、レジストローラ３３、上記転写、剥離チャージャ１７、１８、搬送ベルト３４、定着器３５、排紙ローラ対３６が配設されている。
【００２０】
また、上記本体１１の上面部には原稿載置台３８が設けられ、この原稿載置台３８上には、自動原稿送り装置３９が設けられている。
一方、上記本体１１の排紙部にはソータ装置５１が設けられている。このソータ装置５１は、本体１１の排紙部からの用紙Ｐを搬送する搬送ローラ５６、この搬送ローラ５６によって搬送される用紙Ｐをソート時とノンソート時とで振分けるゲート手段５４、ソート時に上記ゲート手段５４によって振分けられた用紙Ｐを搬送する搬送路５２、この搬送路５２の出口に対向し、図示しないビン移動機構により上下方向に移動可能に配設された複数のビン５３ａ、…と、ノンソート時に上記ゲート手段５４によって振分けられた用紙Ｐが排出される排紙トレイ５５によって構成されている。
【００２１】
搬送路５２は、搬送ガイド５７ａと搬送ローラ５７ｂとによって構成されている。
上記搬送ローラ５６の近傍には、上記本体１１の排紙部からの用紙Ｐのソータ装置５１への挿入を検知する検知器５８が設けられ、上記搬送ローラ５７ｂの近傍には、ビン５３ａ、…への用紙Ｐの搬送を検知する検知器５９が設けられている。
【００２２】
ノンソートモードが選択されている場合、ゲート手段５４によって振分けられた用紙Ｐが排紙トレイ５５に排出され、ソートモードが選択されている場合、ゲート手段５４によって振分けられた用紙Ｐ、…が上記各ビン５３ａ、…に収納されることにより、原稿Ｏ、…に対する一部構成の文書が上記各ビン５３ａ、…に収納され、グループモードが選択されている場合、ゲート手段５４によって振分けられた用紙Ｐ、…が上記各ビン５３ａ、…に収納されることにより、原稿Ｏ、…に対する各原稿ごとの複数枚のコピーがそれぞれ上記各ビン５３ａ、…に収納される。
【００２３】
上記ソータ装置５１には、上記各ビン５３ａ、…に収納された一部構成の文書を一部単位でステープル止めし貯めていくフィニッシャ１００が設けられている。
【００２４】
このフィニッシャ１００は、ステープルソートモードが選択されている場合、各ビン５３ａ、…に収納された一部構成の文書を一部単位でステープル止めし貯めていくものである。図２、図３に示すように、用紙Ｐが上記各ビン５３ａ（５３ｂ、…）に収納されるごとにガイドバー１０１にてステープルされる側に寄せて整合する。全ての用紙Ｐが各ビン５３ａ、…に収納されると、ビン５３ａがステープラユニット１０２に対向する位置に移動し、ステープラユニット１０２が図４の破線で示す位置から実線で示す位置へ移動し、紙押えアーム１０３がビン５３ａ上の用紙Ｐを抑えステープラユニット１０２にてステープル止めを行う。その後、図４の破線で示す位置にガイドバー１０１、ステープラユニット１０２が戻り、ステープル止めが終わった用紙Ｐはビン５３ａの下部に設けられた図示しない取出し機構により、フィニッシャ排出トレイ１０４上に排出される。このフィニッシャ排出トレイ１０４の下がる量は排出される用紙Ｐの枚数によりある程度決められ、一部単位に排出される度にステップ的に下がる。
【００２５】
ついで、ビン５３ｂがステープラユニット１０２に対向する位置に移動し、ステープラユニット１０２が図４の破線で示す位置から実線で示す位置へ移動し、紙押えアーム１０３がビン５３ｂ上の用紙Ｐを抑えステープラユニット１０２にてステープル止めを行う。その後、図４の破線で示す位置にガイドバー１０１、ステープラユニット１０２が戻り、ステープル止めが終わった用紙Ｐはビン５３ｂの下部に設けられた図示しない取出し機構により、フィニッシャ排出トレイ１０４上に排出される。
【００２６】
以後、用紙Ｐが収納されているビン５３ｃ、…に対するステープラの処理が上記同様に行われる。
また、図２において、上記排紙ローラ対３６の近傍には用紙Ｐを本体１１外へ排出するか反転給紙部４９に導くかを切換えるゲート手段５０が設けられている。この反転給紙部４９に導かれた用紙Ｐは、表裏が反転された後、再び用紙搬送路３２に沿って搬送されるようになっている。
【００２７】
しかして、通常のコピー時には、原稿載置台３８に載置された原稿Ｏに露光系２１により、光が走査され、その反射光が帯電チャージャ１３により表面が帯電された感光体ドラム１２上に結像されて静電潜像が形成される。この静電潜像は現像器１５により現像剤が供給されることにより顕像化される。このとき、給紙カセット３０、あるいは大容量給紙装置３１から用紙Ｐが供給されることにより、感光体ドラム１２と転写チャージャ１７との間の画像転写部１２ａに用紙Ｐが送られて感光体ドラム１２上の顕像が用紙Ｐに転写される。この画像が転写された用紙Ｐは剥離チャージャ１８の作用により、感光体ドラム１２から剥離され、搬送ベルト３４により、定着器３５へと送られ画像が定着される。この画像が定着された用紙Ｐは排紙ローラ対３６を介して排出され、ソータ装置５１のゲート手段５４を介して排紙トレイ５５上あるいはソート部内のビン５３ａ、…に選択的に排出されることになる。排紙ローラ対３６による排出は排紙スイッチとしての検出器４５によって検出されるようになっている。
【００２８】
また、原稿Ｏを複数部コピーしてソートする場合にはゲート手段５４がソート部側に切換わることにより、用紙Ｐが搬送路５２を介して搬送され、その搬送路５２の出口に選択的に対応しているビン５３ａ、…に振分けられ、ソートされることになる。ビン５３ａ、…は、図示しないビン移動機構により上下動（上昇、下降）されることにより、搬送路５２の出口にそれぞれが対向するようになっている。
【００２９】
また、両面コピーする場合には、ゲート手段５０が反転給紙部４９側に切換わることにより、用紙Ｐが反転給紙部４９に導かれ、表裏が反転された後、再び用紙搬送路３２に沿って搬送され、裏面側に画像が転写され、定着されて排出される。
【００３０】
上記自動原稿送り装置３９は、原稿供紙台６１、１通取出し部６２、反転部６３、搬送部６４、排紙部６５、排紙トレイ６６、および原稿検知器６７によって構成されている。
【００３１】
上記原稿供紙台６１には、供紙される１枚の原稿Ｏあるいは複数の原稿Ｏ、…が載置される。上記１通取出し部６２は、上記原稿供紙台６１上の原稿Ｏを１枚ずつ取出し搬送するものである。上記反転部６３は、上記１通取出し部６２からの原稿Ｏをそのまま搬送部６４へ導いたり、あるいは搬送部６４からの原稿Ｏを反転して搬送部６４へ返送するものである。上記搬送部６４は、上記反転部６３からの原稿Ｏを搬送して原稿載置台３８上の基準位置にセットしたり、原稿載置台３８上の原稿Ｏを上記反転部６３に搬送したり、排紙部６５に搬送するようになっている。上記排紙部６５は、搬送部６４からの原稿Ｏを排紙トレイ６６に排紙するものである。
【００３２】
原稿検知器６７は、原稿供紙台６１に原稿Ｏ、…が載置されているか否かをたとえば光学的に検知するものである。
また、本体１１の前面上部には、様々な複写条件並びに複写動作を開始させる複写開始信号などを入力する操作パネル７０が設けられている。
【００３３】
操作パネル７０は、図５に示すように、ソートキー７１、ステープル表示器７１ａ、ソート表示器７１ｂ、グループ表示器７１ｃ、原稿送り装置キー７２、状態表示部７３、カセット選択キー７４、操作ガイドキー７５、自動用紙選択キー７６、自動倍率選択キー７７、倍率表示部７８、倍率設定キー７９、原稿サイズ設定キー８０、用紙サイズ設定キー８１、メッセージ表示部８２、コピー枚数表示部８３、自動露光キー８４、濃度設定キー８５、予熱キー８６、割り込みキー８７、テンキー８８、コピーキー８９、セットキー９０、リコールキー９１、両面モード設定キー９２、綴じ代設定キー９３、編集設定キー９４、枠消し設定キー９５、頁連写設定キー９６、およびオールクリアキー９７によって構成されている。
【００３４】
ソートキー７１は、ソートモード、グループモード、ステープルモードを選択する際に用いるキーである。ステープル表示器７１ａ、ステープルモード時に点灯するものである。ソート表示器７１ｂは、ソートモード時に点灯するものである。グループ表示器７１ｃは、グループモード時に点灯するものである。原稿送り装置キー７２は、連続送りモード、一枚送りモードを選択する際に用いるキーである。状態表示部７３は、給紙カセットの選択状態や、原稿の選択状態や、用紙のジャムなどを案内表示するものである。カセット選択キー７４は、カセットを選択する際に用いるキーである。操作ガイドキー７５は、操作ガイドの指示を設定するものである。自動用紙選択キー７６は、自動で用紙を選択するモードに設定するキーである。自動倍率選択キー７７は、自動で倍率を選択するモードに設定するキーである。倍率表示部７８は、複写倍率の表示。倍率設定キー７９は、コピー倍率をマニュアルで設定するものである。原稿サイズ設定キー８０は、原稿Ｏのサイズを設定するものである。用紙サイズ設定キー８１は、用紙Ｐのサイズを設定するものである。メッセージ表示部８２は、種々の操作案内を行うものである。コピー枚数表示部８３は、コピー枚数を表示するものである。自動露光キー８４は、自動露光に設定する際に使用するものである。濃度設定キー８５は、コピー濃度をマニュアルで設定するものである。予熱キー８６は、予熱時に入力するキーである。割り込みキー８７は、割込コピー時に入力するキーである。テンキー８８は、コピー枚数を設定するものである。コピーキー８９は、コピー開始を指示するものである。セットキー９０は、頻繁に使用するコピーモードの組合せを記憶する際に用いるキーである。リコールキー９１は、記憶されているコピーモードの組合せを呼び出す際に用いるキーである。両面モード設定キー９２は、種々の両面モードを設定するものである。たとえば、原稿Ｏの片面ずつを用紙Ｐの両面を用いてコピー、原稿Ｏの両面をそれぞれ用紙Ｐの両面にコピー、原稿Ｏの両面のそれぞれを用紙Ｐの片面ずつを用いてコピー、あるいはブックコピーを設定するものである。綴じ代設定キー９３は、綴じ代を設定するものである。編集設定キー９４は、トリミングコピー、マスキングコピーを選択するキーである。枠消し設定キー９５は、枠消しを設定するものである。頁連写設定キー９６は、頁連写を設定するものである。。オールクリアキー９７は、オールクリアを指示するものである。
【００３５】
上記自動原稿送り装置３９の原稿供紙台６１に原稿Ｏがセットされた際に、ソートモードが自動的に選択されることが初期設定されている。
この初期設定は、図６のフローチャートに示すように、サービスマンにより変更できるようになっている。
【００３６】
たとえば、テンキー８８の「０」キーと「８」キーとを同時に押している状態で、図示しない電源スイッチをオンすることにより、システムモード（サービスマンモード）が選択され、ソートモードの初期設定変更に対応するコード「６」をテンキー８８により投入することにより、ソートモードの初期設定変更モードとなる。このモードにおいて、「１」をテンキー８８により投入することにより、ソートモードが設定され、「２」をテンキー８８により投入することにより、グループモードが設定され、「３」をテンキー８８により投入することにより、ステープルソートモードが設定され、「０」をテンキー８８により投入することにより、ノンソートモードが設定される。上記モードは後述する内部メモリ１１１ａに記憶される。
【００３７】
図１は上記複写機１と自動原稿送り装置３９とソータ装置５１からなる画像形成処理システムの制御回路を示すものである。
すなわち、上記複写機１側には、上記複写機１の全体を制御するＣＰＵ１１１が設けられている。このＣＰＵ１１１には、画像形成を行う画像形成部１１２、様々な複写条件並びに複写動作を開始させる複写開始信号などを入力する操作パネル７０、上記自動原稿送り装置３９と接続され信号の送受を行うインターフェース１１３が接続されている。画像形成部１１２は、図２で説明した複写機１の内部構成の各部に対応している。
【００３８】
また、自動原稿送り装置３９側には、上記自動原稿送り装置３９の全体を制御するＣＰＵ１１５が設けられている。このＣＰＵ１１５には、上記複写機１と接続され信号の送受を行うインターフェース１１６、上記１通取出し部６２、反転部６３、搬送部６４、排紙部６５の図示しないローラを回転するモータ（図示しない）を駆動する駆動回路１１７、および上記原稿検知器６７が接続されている。
【００３９】
また、ソータ装置５１側には、上記ソータ装置５１の全体を制御するＣＰＵ１１８が設けられている。このＣＰＵ１１８には、上記複写機１と接続され信号の送受を行うインターフェース１１９、上記搬送ローラ５６、５７ｂを回転するモータ１２０を駆動する駆動回路１２１、上記ゲート手段５４を回動するソレノイド１２２を駆動する駆動回路１２３、上記ビン５３ａ、…を上下動するビン移動機構１２４を駆動する駆動回路１２５、上記ガイドバー１０１を移動するソレノイド１２６を駆動する駆動回路１２７、上記ステープラユニット１０２を移動するソレノイド１２８を駆動する駆動回路１２９、上記紙押えアーム１０３を移動するソレノイド１３０を駆動する駆動回路１３１、上記フィニッシャ排出トレイ１０４を上下動する駆動機構１３２を駆動する駆動回路１３３、および上記検知器５８、５９が接続されている。
【００４０】
次に、上記のような構成において、図７に示すフローチャートを参照しつつ動作を説明する。
すなわち、自動原稿送り装置３９の原稿供紙台６１に原稿Ｏがセットされると、原稿検知器６７が原稿Ｏを検知する。この原稿検知器６７からの検知信号が、ＣＰＵ１１５、インターフェース１１６、１１３を介してＣＰＵ１１１に供給される。この際、ＣＰＵ１１１の内部メモリ１１１ａに初期設定モードとしてソートモードが設定されているため、ＣＰＵ１１１は、操作パネル７０のソート表示器７１ｂを点灯し、ソートモードの設定を表示する。さらに、ＣＰＵ１１１は、ソートモードを示す信号をインターフェース１１３、１１９を介してＣＰＵ１１８に供給する。
【００４１】
また、原稿供紙台６１に原稿Ｏをセットする前、あるいは原稿供紙台６１に原稿Ｏをセットした後に、テンキー８８により、コピー部数が入力される。
この後、コピーキー８９が投入されると、ＣＰＵ１１１は、原稿引込み開始信号をインターフェース１１３、１１６を介してＣＰＵ１１５に供給する。ＣＰＵ１１５はその原稿引込み開始信号により、搬送機構９７を駆動する。これにより、１枚目の原稿Ｏが自動原稿送り装置３９内に引込まれ、原稿載置台３８上の基準位置にセットされる。
【００４２】
この結果、給紙カセット３０等から給紙されたコピー用紙Ｐに対して、画像形成部１１２により１枚目の原稿Ｏに対するコピーがなされた後、ソータ装置５１に排出される。
【００４３】
ついで、２枚目の原稿Ｏが自動原稿送り装置３９内に引込まれ、原稿載置台３８上の基準位置にセットされる。
この結果、給紙カセット３０等から取出されたコピー用紙Ｐに対して、画像形成部１１２により２枚目の原稿Ｏに対するコピーがなされた後、ソータ装置５１に排出される。
【００４４】
以後、自動原稿送り装置３９内に原稿Ｏが順次引込まれ、原稿Ｏに対する画像がコピー用紙Ｐにコピーされてソータ装置５１に排出される。
また、ソータ装置５１のＣＰＵ１１８は、ソートモードとなっており、ゲート手段５４はソート側つまり搬送路５２側に切換えられており、搬送路５２の出口にはビン５３ａが対向している。
【００４５】
これにより、複写機１から排出された１枚目の用紙Ｐは排紙ローラ対３６を介して排出され、ソータ装置５１のゲート手段５４を介して搬送路５２で搬送され、ビン５３ａに収納される。
【００４６】
ついで、ＣＰＵ１１８は、ビン移動機構１２３を駆動してビン５３ｂを搬送路５２の出口に対向させる。
これにより、複写機１から排出された２枚目の用紙Ｐは排紙ローラ対３６を介して排出され、ソータ装置５１のゲート手段５４を介して搬送路５２で搬送され、ビン５３ｂに収納される。
【００４７】
以後、ビン５３ａ、…の上下動により、複写機１から排出された用紙Ｐ、…が、ビン５３ａ、…に収納され、この結果、原稿供紙台６１にセットされた原稿Ｏ、…に対する設定部数分のコピーがビン５３ａ、…に収納される。
【００４８】
また、ＣＰＵ１１１は、上記原稿検知器６７から原稿Ｏに対する検知信号が供給される前に、操作パネル７０のソートキー７１により初期設定モード以外のノンソートモード、グループモード、ステープルモードがオペレータにより選択されていた場合、初期設定モードへの切換を禁止している。これにより、上記原稿検知器６７からの検知信号が供給されても、そのオペレータにより選択されているモードのままとなる。
【００４９】
上記１枚目の原稿Ｏに対する引き込み処理が行われた際に、上記原稿検知器６７からの検知信号が供給されなくなった場合、ＣＰＵ１１１は、原稿Ｏが１枚であったと判断し、ソートモードを禁止し、ノンソートモードに変更し、ＣＰＵ１１８へ出力する。
【００５０】
これにより、ソータ装置５１のＣＰＵ１１８は、ノンソートモードとなっており、ゲート手段５４はノンソート側つまり排紙トレイ５５側に切換えられている。この結果、ソータ装置５１では、複写機１から排出された用紙Ｐが排紙トレイ５５に排出される。
【００５１】
また、ＣＰＵ１１１は、操作パネル７０のテンキー８８により設定されるコピー枚数が「１」の場合、および上記原稿検知器６７からの検知信号が供給される前に、操作パネル７０のテンキー８８により３０枚以上のコピー枚数がオペレータにより設定された場合、ソートモードを禁止し、ノンソートモードに設定し、ＣＰＵ１１８へ出力する。
【００５２】
これにより、ソータ装置５１のＣＰＵ１１８は、ノンソートモードとなっており、ゲート手段５４はノンソート側つまり排紙トレイ５５側に切換えられている。この結果、ソータ装置５１では、複写機１から排出された用紙Ｐが排紙トレイ５５に排出される。
【００５３】
上記したように、複写機本体と、自動原稿送り装置と、複写機本体から排出されるコピー済みの用紙をソートするソータ装置とからなるものにおいて、自動原稿送り装置への原稿のセット時に、初期モードとしてソートモードが設定され、１枚の原稿の場合（次の原稿無しを検知した場合）、ソートモードが禁止され、ノンソートモードが選択されるようにしたものである。
【００５４】
これにより、自動原稿送り装置原稿をセットすると自動的にソートモードを選択するため、操作パネルより毎回ソートモードをセットする煩わしさを解消でき、しかもコピーする原稿が１枚の場合に、複写機から排出される用紙がソートビンに収納されてしまうことがなく、ユーザの操作性を軽減できる。
【００５５】
また、自動原稿送り装置へ原稿をセットする前に、初期モードとしてのソートモード以外の別のノンソートモードやステープルソートモードやグループモードが選択（または選択後解除）された場合に、自動原稿送り装置へ原稿をセットしてもそのまま選択された初期モード以外の別のモードでそのまま処理を行うことができ、ミスコピーを除き、ユーザの操作性を改善できる。
【００５６】
また、自動原稿送り装置にセットされる原稿が１枚の場合、ソート数を越える部数のコピーが設定された場合、あるいは操作パネルにより設定されるコピー枚数が１枚の場合には、ノンソートモードが選択されるようにしたものである。これにより、複写機から排出される用紙がソートビンに収納されてしまったり、ソータリミットのメッセージ表示が行われることがなく、ユーザの操作性を軽減できる。
【００５７】
さらに、自動原稿送り装置への原稿のセット時の初期モードとしてソートモードとノンソートモードとを、任意に選択でき、機能のバリエーションが充実する。
【００５８】
したがって、自動原稿送り装置へ原稿をセットした際に、自動的にソートモードを選択する機能について、例外条件を適切に検知し、排除するようにしたものである。
【００５９】
なお、上記実施例では、ソータ装置にフィニッシャが設けられステープルが行えるものであったが、たとえば、図８に示すように、ソータ装置にフィニッシャが設けられていないものであっても良い。この場合、ステープルソートモードが行われなくなる。
【００６０】
【発明の効果】
以上詳述したようにこの発明によれば、自動原稿送り装置に原稿をセットした際に、自動的にソートモードが選択でき、この選択の際の例外条件を適切に検知して排除することができ、操作性が良い画像形成処理システムを提供できる。
【図面の簡単な説明】
【図１】この発明の一実施例における複写機と自動原稿送り装置の全体の構成を示すブロック図。
【図２】複写機の内部構成を示す断面図。
【図３】フィニッシャの構成を説明するための図。
【図４】フィニッシャの構成を説明するための図。
【図５】操作パネルの構成を示す平面図。
【図６】初期設定の変更動作を説明するためのフローチャート。
【図７】複写機の動作を説明するためのフローチャート。
【図８】他の実施例を説明するための複写機の内部構成を示す断面図。
【符号の説明】
１…複写機
３９…自動原稿送り装置
Ｏ…原稿
Ｐ…用紙
５１…ソータ装置
５３ａ、〜…ビン
５５…排紙トレイ
６７…原稿検知器
７０…操作パネル
１１１、１１５、１１８…ＣＰＵ
１１１ａ…内部メモリ
【図１】
0003600629.tif 000002
【図２】
0003600629.tif 000003
【図３】
0003600629.tif 000004
【図４】
0003600629.tif 000005
【図５】
0003600629.tif 000006
【図６】
0003600629.tif 000007
【図７】
0003600629.tif 000008
【図８】
0003600629.tif 000009